(57)【要約】  【課題】  原稿の全体を読み込むことなく、必要な領域の情報のみを読み込むことができるスキャナ装置を提供する。  【解決手段】  表示と読取を兼用する表示／読取面を有し、任意のリードエリアの情報のみを読取可能なインプットディスプレイ部１０１と、インプットディスプレイ部１０１への画像の表示を制御する表示制御部１０２と、インプットディスプレイ部１０１からの情報の読取を制御する画像入力制御部１０３と、リードエリアを入力するためのキーボード部１０４および指示入力部１０５と、指示入力部１０５からリードエリアを取得して、表示制御部１０２を制御することによりインプットディスプレイ部１０１にリードエリアを表示させるとともに、画像入力制御部１０３を制御することによりリードエリア内の２次元的な情報のみを読み取らせるスキャナ制御部１０６と、を備えたスキャナ装置。【選択図】図１
2006179977.tif 000002
【特許請求の範囲】
【請求項１】
画像を表示する表示面と、２次元的な情報を読み取る読取面と、が同一の表示／読取面として構成されていて、該表示／読取面における任意の領域の情報のみを読み取り可能なインプットディスプレイと、
上記インプットディスプレイへの画像の表示を制御する表示制御手段と、
上記インプットディスプレイからの情報の読み取りを制御する画像入力制御手段と、
上記表示制御手段を制御することにより、上記インプットディスプレイの表示／読取面に読み取り対象領域に関する情報を表示させるとともに、上記画像入力制御手段を制御することにより、該読み取り対象領域内の２次元的な情報のみを読み取らせる制御手段と、
を具備したことを特徴とするスキャナ装置。
【請求項２】
上記読み取り対象領域に関する情報は、該読み取り対象領域を示すリードエリアであることを特徴とする請求項１に記載のスキャナ装置。
【請求項３】
上記読み取り対象領域に関する情報は、読み取り対象としない領域を示すマスクエリアであることを特徴とする請求項１に記載のスキャナ装置。
【請求項４】
上記読み取り対象領域に関する情報を入力するための入力手段をさらに具備したことを特徴とする請求項１に記載のスキャナ装置。
【請求項５】
上記入力手段は、上記表示／読取面上に設けられたタッチパネルを有して構成されたものであることを特徴とする請求項４に記載のスキャナ装置。
【請求項６】
上記入力手段は、上記タッチパネル上に、原稿を読み取り対象とする面を上にして載置した状態で、読み取り対象領域に関する情報を入力するように構成されたものであり、
上記制御手段は、上記入力手段から入力された読み取り対象領域に関する情報を、原稿を上記表示／読取面上に読み取り対象とする面を下にして載置したときに適切となるような読み取り対象領域に関する情報に変換するものであり、
上記表示制御手段は、上記制御手段により変換された読み取り対象領域に関する情報を表示するものであり、
上記画像入力制御手段は、上記制御手段により変換された読み取り対象領域に関する情報に基づいて、上記インプットディスプレイからの情報の読み取りを制御するものであることを特徴とする請求項５に記載のスキャナ装置。
【発明の詳細な説明】
【技術分野】
【０００１】
本発明は、２次元的な情報を読み取るためのスキャナ装置に関する。
【背景技術】
【０００２】
紙面に印刷された情報等を読み取るスキャナ装置（以下、スキャナと称する）は、従来より種々のものが提案されており、プリンタ装置と一体的に設けられたいわゆる複合機や、電子ファイリングシステムなどにも利用されている。
【０００３】
このようなスキャナを用いて原稿の読み取りを行う際に、原稿上の全ての領域の情報が必要であるとは限らず、部分的な領域の情報のみを必要とする場合がある。例えば、新聞記事をスクラップする場合に、紙面の中の特定の記事のみが必要になる場合、などである。
【０００４】
こうした場合には、スキャナで読み込んだ情報をパーソナルコンピュータ（ＰＣ）に取り込んで、該ＰＣ上において、ペイントソフトウェア等を用いて必要な領域の情報を切り出すことが、従来より行われている。
【０００５】
しかし、原稿全体を読み込んで得られる原画像から特定の領域を切り取る処理を行うのは面倒であるために、読み込みを行う前に予め領域を指定して、自動的に該領域の情報が得られるようにした技術が提案されている。
【０００６】
例えば、特開２００４−７２５２７号公報には、まず原稿全体を読み込み、その後に読み込んだ原画像における特定の色でマーキングされた閉領域を抽出して、マーキングの色に応じて、閉領域内外の画像を利用するようにした複合機、電子ファイリングシステム、およびスキャナが記載されている。
【０００７】
ところで、近年では、画像を表示する表示面と、２次元的な情報を読み取る読取面と、が同一の表示／読取面として構成されたインプットディスプレイが提案されている。このような技術としては、例えば特開２００４−１５３３２７号公報に記載されたものが挙げられる。
【特許文献１】特開２００４−７２５２７号公報
【特許文献２】特開２００４−１５３３２７号公報
【発明の開示】
【発明が解決しようとする課題】
【０００８】
しかしながら、上記特開２００４−７２５２７号公報に記載されたものでは、マーキングされた閉領域を検出するに当たって、予め原稿全体をスキャナにより読み込む必要があるために、不要な領域の情報も読み込んでしまうことになるだけでなく、読み込みに要する時間が長くなり、また読み込まれる画像のデータサイズも大きなものとなる。また仮に、プレスキャンにより原稿全体からマーキングされた閉領域を検出するものであるとしても、やはり、本スキャンの前に全領域のプレスキャンを行うことになるために、読み込みに要する時間が長くなるのは避けられない。
【０００９】
本発明は上記事情に鑑みてなされたものであり、原稿の全体を読み込むことなく、必要な領域の情報のみを読み込むことができるスキャナ装置を提供することを目的としている。
【課題を解決するための手段】
【００１０】
上記の目的を達成するために、第１の発明によるスキャナ装置は、画像を表示する表示面と２次元的な情報を読み取る読取面とが同一の表示／読取面として構成されていて該表示／読取面における任意の領域の情報のみを読み取り可能なインプットディスプレイと、上記インプットディスプレイへの画像の表示を制御する表示制御手段と、上記インプットディスプレイからの情報の読み取りを制御する画像入力制御手段と、上記表示制御手段を制御することにより上記インプットディスプレイの表示／読取面に読み取り対象領域に関する情報を表示させるとともに上記画像入力制御手段を制御することにより該読み取り対象領域内の２次元的な情報のみを読み取らせる制御手段と、を具備したものである。
【００１１】
また、第２の発明によるスキャナ装置は、上記第１の発明によるスキャナ装置において、上記読み取り対象領域に関する情報が、該読み取り対象領域を示すリードエリアである。
【００１２】
さらに、第３の発明によるスキャナ装置は、上記第１の発明によるスキャナ装置において、上記読み取り対象領域に関する情報が、読み取り対象としない領域を示すマスクエリアである。
【００１３】
第４の発明によるスキャナ装置は、上記第１の発明によるスキャナ装置において、上記読み取り対象領域に関する情報を入力するための入力手段をさらに具備したものである。
【００１４】
第５の発明によるスキャナ装置は、上記第４の発明によるスキャナ装置において、上記入力手段が、上記表示／読取面上に設けられたタッチパネルを有して構成されたものである。
【００１５】
第６の発明によるスキャナ装置は、上記第５の発明によるスキャナ装置において、上記入力手段が、上記タッチパネル上に原稿を読み取り対象とする面を上にして載置した状態で読み取り対象領域に関する情報を入力するように構成されたものであり、上記制御手段は、上記入力手段から入力された読み取り対象領域に関する情報を原稿を上記表示／読取面上に読み取り対象とする面を下にして載置したときに適切となるような読み取り対象領域に関する情報に変換するものであり、上記表示制御手段は、上記制御手段により変換された読み取り対象領域に関する情報を表示するものであり、上記画像入力制御手段は、上記制御手段により変換された読み取り対象領域に関する情報に基づいて上記インプットディスプレイからの情報の読み取りを制御するものである。
【発明の効果】
【００１６】
本発明のスキャナ装置によれば、原稿の全体を読み込むことなく、必要な領域の情報のみを読み込むことができる。
【発明を実施するための最良の形態】
【００１７】
以下、図面を参照して本発明の実施の形態を説明する。
【００１８】
（第１の実施形態）
図１から図４は本発明の第１の実施形態を示したものであり、図１はスキャナの構成を示すブロック図、図２はスキャナにより原稿を読み取るときの作用を示すフローチャート、図３はスキャナにおけるリードエリアの表示例を示す図、図４は原稿を下向きにインプットディスプレイ部に載置して記事を読み取る様子を示す図である。
【００１９】
図１に示すように、このスキャナは、インプットディスプレイ部１０１と、表示制御手段たる表示制御部１０２と、画像入力制御手段たる画像入力制御部１０３と、入力手段たるキーボード部１０４と、入力手段たる指示入力部１０５と、制御手段たるスキャナ制御部１０６と、フレームバッファ１０７と、ＰＣインターフェース１０８と、を有して構成されている。
【００２０】
そして、このスキャナは、上記ＰＣインターフェース１０８を介して、パーソナルコンピュータ（適宜、ＰＣと称する）１０９と接続されている。
【００２１】
上記インプットディスプレイ部１０１は、画素ＴＦＴを２次元状に配列してなる画素ＴＦＴアレイと、フォトダイオードセンサを２次元状に配列してなるフォトダイオードセンサアレイと、を有して構成されている。画素ＴＦＴアレイは、２次元的な画像を表示し得る表示部を構成し、フォトダイオードセンサアレイは２次元的な情報を読み取り得る読取部を構成する。こうして、インプットディスプレイ部１０１は、画像取込み機能を備えた表示装置であるとともに、表示機能を備えた画像取込装置となっている。このようなインプットディスプレイ装置は、例えば、特開２００４−１５３３２７号公報に記載されたものが挙げられる。該インプットディスプレイ部１０１は、該公報にも示されているように、画像を表示する表示面と、原稿を読み取る読取面と、が兼用された表示／読取面を備えたものとなっていて、原稿を読み取る際には、表示／読取面の全面を読み取るだけでなく、表示／読取面の任意の領域（複数の領域でも可）のみを読み取ることができるように構成されたものとなっている。
【００２２】
上記表示制御部１０２は、インプットディスプレイ部１０１の画素ＴＦＴアレイを制御するものである。この表示制御部１０２がスキャナ制御部１０６から指示を受けると、該画素ＴＦＴアレイでなるインプットディスプレイ部１０１の画面上に、読み取り対象領域に関する情報として入力可能範囲を示す矩形（以下、リードエリアと称する）を表示するようになっている。このリードエリアは、インプットディスプレイ部１０１上に同時に複数存在することが可能となっていて、すなわち、読み取り対象となる原稿上に分散している複数の記事を同時に読み込むことが可能となっている。
【００２３】
上記画像入力制御部１０３は、インプットディスプレイ部１０１のフォトダイオードセンサアレイを制御するものである。この画像入力制御部１０３がスキャナ制御部１０６から指示を受けると、リードエリアに対応するインプットディスプレイ部１０１のフォトダイオードセンサアレイを制御して画像データを読み込み、フレームバッファ１０７へ転送するようになっている。
【００２４】
上記キーボード部１０４は、本実施形態のスキャナに付属して設けられたものであり、指示入力部１０５に接続されている。このキーボード部１０４は、少なくとも、リードエリア情報と、リードエリアの指定を完了する旨のコマンドと、を入力するために用いられる。リードエリア情報は、例えば、上述したリードエリアの大きさを表すサイズ（ｓｘ，ｓｙ）と、リードエリアをインプットディスプレイ部１０１上のどの位置に配置するかを指定するためのオフセット（ｏｆｓｘ，ｏｆｓｙ）と、を含んで構成されている。ここに、上記オフセットは、例えば、インプットディスプレイ部１０１の左上隅を原点（０，０）とし、右方向にｘ軸を、下方向にｙ軸をとったときの座標として指定されるようになっている。ただし、座標系の設定はこれに限るものでないことはいうまでもない。
【００２５】
上記指示入力部１０５は、キーボード部１０４のキー入力を読み取って、上述したようにサイズやオフセットを含んで構成されるリードエリア情報や、リードエリア指定完了のコマンドをスキャナ制御部１０６へ送信するものである。
【００２６】
上記スキャナ制御部１０６は、指示入力部１０５から送信された１つ以上のリードエリア情報を管理して、該リードエリア情報に基づき、表示制御部１０２へリードエリアを表示させるコマンドを送信したり、画像入力制御部１０３へリードエリア内の読み取りを行わせるコマンドを送信したりするものであり、例えば制御用マイクロコンピュータにより構成されている。従って、表示制御部１０２は、スキャナ制御部１０６からのコマンドを受けて、インプットディスプレイ部１０１にリードエリアを表示するようになっている。そして、画像入力制御部１０３は、スキャナ制御部１０６からのコマンドを受けて、リードエリアに対する読み込みを行うようになっている。
【００２７】
上記フレームバッファ１０７は、画像入力制御部１０３を介して取得したリードエリアの画像を記憶するためのメモリである。
【００２８】
上記ＰＣインターフェース１０８は、フレームバッファ１０７に記憶されているデータを、例えば、ＵＳＢ（Universal Serial Bus）などの通信回線を介してＰＣ１０９へ転送するためのインターフェースであり、ＰＣ１０９側からのリクエストに応じてフレームバッファ１０７から画像を読み出し、ＰＣ１０９へ転送するようになっている。
【００２９】
上記ＰＣ１０９は、本実施形態のスキャナに接続されるパーソナルコンピュータである。
【００３０】
次に、図２を参照して、スキャナにより２次元情報である原稿を読み取るときの作用について説明する。
【００３１】
まず、原稿をスキャンする前に、リードエリアのサイズ（ｓｘ，ｓｙ）をキーボード部１０４から入力する（ステップＳ２０１）。
【００３２】
続いて、そのリードエリアをインプットディスプレイ部１０１の表示／読取面のどこに配置するかを示すオフセット（ｏｆｓｘ，ｏｆｓｙ）を、原点（０，０）がインプットディスプレイ部１０１の表示／読取面の左上隅にあるものとして、入力する（ステップＳ２０２）。
【００３３】
そして、全てのリードエリアに関して、サイズとオフセットとの入力が済んでいるか否かを判定する（ステップＳ２０３）。具体的には、キーボード部１０４のキー入力を調べて、例えば「e」キーが押された場合に、リードエリアの指定が終了したと判定するようになっている。
【００３４】
ここでリードエリアの指定が完了していないと判定された場合には、上記ステップＳ２０１へ戻って、上述したようなステップＳ２０１〜Ｓ２０３の処理を繰り返して行う。
【００３５】
こうして、ステップＳ２０３において、リードエリアの指定が完了したと判定される場合には、スキャナ制御部１０６が表示制御部１０２へコマンドを出力することにより、１つのリードエリア毎に、上記ステップＳ２０１により入力されたサイズの矩形を、上記ステップＳ２０２により入力されたオフセット位置において、インプットディスプレイ部１０１に表示する（ステップＳ２０４）。
【００３６】
その後、全てのリードエリアについての表示が完了しているか否かを判定する（ステップＳ２０５）。ここで、リードエリアの表示が完了していないと判定された場合には、上記ステップＳ２０４へ戻って、上述したようなステップＳ２０４〜Ｓ２０５の処理を繰り返して行う。
【００３７】
こうして、ステップＳ２０５において、全てのリードエリアの表示が完了したと判定されると、例えば、図３に示すような表示が行われる。
【００３８】
この図３に示す例においては、２つのリードエリアが表示されている。１つめのリードエリアＲＡ１は、サイズが（ｓｘ１，ｓｙ１）、オフセットが（ｏｆｓｘ１，ｏｆｓｙ１）となっていて、２つめのリードエリアＲＡ２は、サイズが（ｓｘ２，ｓｙ２）、オフセットが（ｏｆｓｘ２，ｏｆｓｙ２）となっている。また、原点（０，０）は、上述したようにインプットディスプレイ部１０１の表示／読取面の左上角にとっている。そして、リードエリアの表示は、図示の例では、例えば矩形領域の境界を点線により示し、リードエリアの内部をその他の部分とは異なる色に着色（インプットディスプレイ部１０１が白黒表示のものである場合には、例えば、異なる輝度に）することにより示している。
【００３９】
その後、利用者が、読取対象となる原稿を下向き、つまり、原稿の読取対象となる面がインプットディスプレイ部１０１の表示／読取面へ向くようにして、該表示／読取面上に載置する。このときさらに、原稿上の所望の記事が、表示されているリードエリアに重なるようにする（ステップＳ２０６）。これにより、図４（Ａ）に示すようになる。
【００４０】
この図４は、上記図３に示したリードエリアに対応する原稿を載置したときの様子を示しており、１つめのリードエリアＲＡ１には記事１が、２つめのリードエリアＲＡ２には記事２が、それぞれ重なるように、原稿が載置されている。
【００４１】
このような位置を合わせた原稿の載置が行われたら、スキャナ制御部１０６が画像入力制御部１０３へコマンドを出力することにより、リードエリアに対応するフォトダイオードセンサアレイにより記事を読み込んで、フレームバッファ１０７へ画像を転送する（図４（Ｂ）参照）（ステップＳ２０７）。
【００４２】
そして、全てのリードエリアについて画像の取得が完了したか否かを判定する（ステップＳ２０８）。ここで、完了していない場合には、完了するまで上述したステップＳ２０７〜Ｓ２０８の処理を繰り返して行う（図４（Ｃ）参照）。
【００４３】
こうして、全てのリードエリアの画像の取得が完了したところで、この処理を終了する。
【００４４】
なお、フレームバッファ１０７に記憶された全てのリードエリアに関する画像情報は、上述したように、ＰＣインターフェース１０８を介して、ＰＣ１０９へ送信される。
【００４５】
このような第１の実施形態によれば、原稿の１部である所望の記事だけを、選択的に読み込むことができる。従って、読み込みが部分的となり、原稿全体を読み込む場合に比して、読み込みに要する時間を短縮することができる。さらに、原稿全体を読み込んだ場合に比べて、読み込んだデータのデータ量が小さくなる利点がある。また、原稿全体を読み込んだ場合には、利用者は、その後にペイントソフト等を用いて電子化した原稿（画像）から所望の記事を切り取る編集作業が必要になるが、本実施形態によれば、こうした作業を不要とすることができ、原稿を電子化する作業を効率的に行うことが可能となる。
【００４６】
（第２の実施形態）
図５から図９は本発明の第２の実施形態を示したものであり、図５はスキャナの構成を示すブロック図、図６はスキャナにより原稿を読み取るときの作用を示すフローチャート、図７はスキャナにおいて上向きに載置した原稿に合わせてリードエリアをスタイラスペンにより指定するときの様子を示す図、図８は原稿が下向きに載置されるときに合わせてリードエリアを座標変換する様子を示す図、図９は原稿を読み取るときに原稿を下向きにインプットディスプレイ部に載置した様子を示す図である。
【００４７】
この第２の実施形態において、上述の第１の実施形態と同様である部分については説明を省略し、主として異なる点についてのみ説明する。
【００４８】
上述した第１の実施形態は、図２のステップＳ２０１〜Ｓ２０２において説明したように、キーボード部１０４を用いてリードエリアのサイズとオフセットとを入力するものであった。これに対してこの第２の実施形態は、インプットディスプレイ部５０１にタッチパネル部５０４を取り付けて、該タッチパネル部５０４によりリードエリアのサイズとオフセットとを入力するようにしたものとなっている。
【００４９】
図５に示すように、本実施形態のスキャナは、インプットディスプレイ部５０１と、表示制御手段たる表示制御部５０２と、画像入力制御手段たる画像入力制御部５０３と、入力手段たるタッチパネル部５０４と、入力手段たる指示入力部５０５と、制御手段たるスキャナ制御部５０６と、フレームバッファ５０７と、ＰＣインターフェース５０８と、スタイラスペン５１０と、を有して構成されている。
【００５０】
これらの内の、インプットディスプレイ部５０１は上記インプットディスプレイ部１０１と、表示制御部５０２は上記表示制御部１０２と、画像入力制御部５０３は上記画像入力制御部１０３と、フレームバッファ５０７は上記フレームバッファ１０７と、ＰＣインターフェース５０８は上記ＰＣインターフェース１０８と、それぞれ同様に構成されたものとなっている。
【００５１】
また、このスキャナに接続されるＰＣ５０９も、上述した第１の実施形態のＰＣ１０９と同様である。
【００５２】
一方、本実施形態では、キーボード部１０４がタッチパネル部５０４に変更されているために、指示入力部５０５は指示入力部１０５とはやや異なる処理を行うようになっている。また、本実施形態では、後述するように、原稿を上向きにしてリードエリアの設定を行うようになっているために、原稿を下向きにスキャンするときに、リードエリアを座標変換する必要がある。従って、スキャナ制御部５０６は、このようなリードエリアの変換処理を行う点で、上述したスキャナ制御部１０６と異なっている。
【００５３】
なお、以下の説明においては、簡単のために、インプットディスプレイ部５０１の表示／読取面のサイズと原稿のサイズとが一致しているものとして説明するが、実際には異なっていても構わない。これに加えて、簡単のために、以下では、原稿の左右を持って原稿の表裏反転を行うものとしているが、これに限るものではないことも同様である。
【００５４】
上記タッチパネル部５０４は、物体が接触して圧力が加えられると、該圧力が加えられた点から電気信号を発生させ、該電気信号により接触点の座標に関する情報を取得することができるパネル状の圧力センサでなるデバイスである。このタッチパネル部５０４は、センサやコントローラを有した一般的な構成のものを用いており、付属のスタイラスペン５１０で該タッチパネル部５０４をタッピングすることにより、座標を入力するようになっている。そして、このタッチパネル部５０４は、インプットディスプレイ部５０１の表示／読取面と同一のサイズとなっており、該表示／読取面に一体的に接着されている。
【００５５】
上記指示入力部５０５は、タッチパネル部５０４から取得した、スタイラスペン５１０でタップされたタッチパネル部５０４上の座標を、所望の記事が記載された領域を示す座標として受け取り、スキャナ制御部５０６へ送信する。また、指示入力部５０５は、タッチパネル部５０４のタッピング間隔と回数から、コマンド入力であることを検出して、コマンドの内容を解釈するようになっている。具体的には、短い時間間隔に２回のタッピング（例えば１秒間に２回のタッピング）を検出した場合に、リードエリアの入力終了コマンドであると解釈するようになっている。指示入力部５０５は、このようなタッピングによるコマンドを検出したら、解釈したコマンドをスキャナ制御部５０６へ送信するようになっている。
【００５６】
また、スキャナ制御部５０６の基本的な機能は、上述した第１の実施形態のスキャナ制御部１０６と同様であるが、上述したように、指示入力部１０５から入力したリードエリアの座標を変換する点が異なっている。
【００５７】
すなわち、原稿を上向きにして取得した記事の座標を、原稿を下向きに載置したときのリードエリア表示の座標とするために、座標変換（以下の例は、左右反転させる場合）を行う点である。
【００５８】
まず、座標系は、上述した第１の実施形態と同様に、原点（０，０）をインプットディスプレイ部５０１の左上隅、この原点（０，０）から右方向にｘ軸、該原点（０，０）から下方向にｙ軸、をそれぞれとる座標系を採用するものとする。このとき、記事の左上の座標を（ｘ１，ｙ１）、記事の右下の座標を（ｘ２，ｙ２）、インプットディスプレイ部５０１の表示／読取面のサイズを（ｄｓｘ，ｄｓｙ）とする。そして、上述したように、前提として、インプットディスプレイ部５０１の表示／読取面の大きさと原稿の大きさとが同一で、原稿は左右を持って表裏を反転させるものとする。このような条件の下で、リードエリアＲＡの右上の座標（ａｘ１，ａｙ１）は次の数式１により求めることができ、リードエリアＲＡの左下の座標（ａｘ２，ａｙ２）は、次の数式２により求めることができる。  
［数１］
ａｘ１＝ｄｓｘ−ｘ１
ａｙ１＝ｙ１
［数２］
ａｘ２＝ｄｓｘ−ｘ２
ａｙ２＝ｙ２
【００５９】
例えば、図７に示すように、記事の左上の座標を（１０，１０）、右下の座標を（１００，１５０）、インプットディスプレイ部５０１の表示／読取面のサイズを（２００，３００）とすれば、図８に示すように、リードエリアＲＡの右上の座標は（１９０，１０）、左下の座標（１００，１５０）、であるとしてそれぞれ求まる。こうして求めたリードエリアＲＡの座標に基づき、リードエリアＲＡを表示することができる。
【００６０】
続いて、図６を参照して、スキャナにより原稿を読み取るときの作用について説明する。
【００６１】
まず最初に、スキャン対象の原稿を上向きにして、インプットディスプレイ部５０１に載置する（ステップＳ６０１）。
【００６２】
次に、スタイラスペン５１０を用いて記事の左上隅と右下隅をタッピングすると、図７に示すように、タッチパネル部５０４から指示入力部５０５へ、記事の領域を示す座標（ｘ１，ｙ１）および（ｘ２，ｙ２）が入力される（ステップＳ６０２）。
【００６３】
そして、全ての記事の座標入力が完了したか否かを判定する（ステップＳ６０３）。この記事の指定の終了は、上述したように、例えば、タッチパネル部５０４がスタイラスペン５１０により短い間隔で２回タッピングされたか否かにより、判定するようになっている。ここで、記事の指定が終了していない場合には、上述したステップＳ６０２〜Ｓ６０３の処理を繰り返して行う。
【００６４】
こうして、ステップＳ６０３において、全ての記事の座標入力が完了したと判定された場合には、続いて、スキャナ制御部５０６が指示入力部５０５から座標（上述した記事の左上座標（ｘ１，ｙ１）および右下座標（ｘ２，ｙ２））を受信して、上記数式１および数式２を用いて座標の変換を行うことにより、リードエリアＲＡを表示するために必要な座標（ａｘ１，ａｙ１）および（ａｘ２，ａｙ２）を求める（図８参照）（ステップＳ６０４）。
【００６５】
そして、全ての座標変換が終了したか否かを判定する（ステップＳ６０５）。ここで、全ての座標変換が終了していない場合には、上述したステップＳ６０４〜Ｓ６０５の処理を繰り返して行う。
【００６６】
また、ステップＳ６０５において、全ての座標変換が終了したと判定された場合には、変換された座標を用いて、スキャナ制御部５０６が表示制御部５０２へコマンドを出力することにより、インプットディスプレイ部５０１上にリードエリアＲＡを表示する（ステップＳ６０６）。
【００６７】
その後、全てのリードエリアＲＡの表示が完了したか否かを判定する（ステップＳ６０７）。ここで、表示が完了していない場合には、上述したステップＳ６０６〜Ｓ６０７の処理を繰り返して行うことにより、全てのリードエリアＲＡを表示させる。
【００６８】
こうして、ステップＳ６０７において、全てのリードエリアＲＡの表示が完了したと判定された場合には、インプットディスプレイ部５０１上に表示されたリードエリアＲＡの位置と記事の位置とを合致させるように、改めて、原稿を下向きにしてインプットディスプレイ部５０１に載置する（図９参照）（ステップＳ６０８）。このときには、上述したように、原稿の左右を入れ替えるようにして、両面を反転させたものとする。
【００６９】
そして、スキャナ制御部５０６が画像入力制御部５０３へコマンドを出力することにより、リードエリアＲＡに対応するフォトダイオードセンサアレイにより記事を読み込んで、フレームバッファ５０７へ画像を転送する（ステップＳ６０９）。
【００７０】
続いて、全てのリードエリアＲＡの画像の取得が完了したか否かを判定する（ステップＳ６１０）。ここで、全てのリードエリアＲＡの画像の取得が完了するまでは、上述したステップＳ６０９〜Ｓ６１０の処理を繰り返して行う。
【００７１】
このようにしてフレームバッファ５０７に記憶された全てのリードエリアに関する画像情報が、ＰＣインターフェース５０８を介してＰＣ５０９へ送信されるのは、上述した第１の実施形態と同様である。
【００７２】
このような第２の実施形態によれば、上述した第１の実施形態とほぼ同様の効果を奏するとともに、インプットディスプレイ部へ上向きに載せた原稿を見ながら、スタイラスペンを用いて記事の２隅（例えば、左上隅と右下隅）をタッピングすることにより、リードエリアを簡単かつ確実に入力することが可能となる。
【００７３】
なお、上述した各実施形態においては、記事を読み込む対象領域を示すリードエリアを指定するようにしたが、これとは逆に、原稿上における読み込みを行いたくない領域（以下、マスクエリアと称す）を読み取り対象領域に関する情報として指定することも可能である。このような領域の指定は、例えば、一部を除いて原稿全体を読み取りたい場合に、領域指定の手間を省くことができて、便利である。さらに、１つの原稿上に複数のリードエリアとマスクエリアとを混在させることも可能である。
【００７４】
また、上述した各実施形態においては、矩形の領域を用いてリードエリア（あるいはマスクエリア）を指定するようにしていたが、これに限らず、例えば多角形（より具体的には、例えば凸形状の図形等）を用いてリードエリア（あるいはマスクエリア）を指定することも考えられる。
【００７５】
さらに、上述した各実施形態においては、読取専用のスキャナを例に挙げて説明したが、本発明のスキャナ装置はこうした専用のスキャナである必要はなく、例えば、コピー機能も備えたコピー／スキャナ複合機としてのスキャナ装置であっても構わないし、あるいは、スキャナを利用した電子ファイリングシステムに適用されるスキャナ装置であっても良い。すなわち、本発明は、スキャナとしての機能を備えた機器や装置に、広く適用することが可能である。
【００７６】
なお、本発明は上述した実施形態に限定されるものではなく、発明の主旨を逸脱しない範囲内において種々の変形や応用が可能であることは勿論である。
【産業上の利用可能性】
【００７７】
本発明は、２次元的な情報を読み取るためのスキャナ装置に好適に利用することができる。
【図面の簡単な説明】
【００７８】
【図１】本発明の第１の実施形態におけるスキャナの構成を示すブロック図。
【図２】上記第１の実施形態において、スキャナにより原稿を読み取るときの作用を示すフローチャート。
【図３】上記第１の実施形態のスキャナにおけるリードエリアの表示例を示す図。
【図４】上記第１の実施形態において、原稿を下向きにインプットディスプレイ部に載置して記事を読み取る様子を示す図。
【図５】本発明の第２の実施形態におけるスキャナの構成を示すブロック図。
【図６】上記第２の実施形態において、スキャナにより原稿を読み取るときの作用を示すフローチャート。
【図７】上記第２の実施形態のスキャナにおいて、上向きに載置した原稿に合わせてリードエリアをスタイラスペンにより指定するときの様子を示す図。
【図８】上記第２の実施形態において、原稿が下向きに載置されるときに合わせてリードエリアを座標変換する様子を示す図。
【図９】上記第２の実施形態において、原稿を読み取るときに原稿を下向きにインプットディスプレイ部に載置した様子を示す図。
【符号の説明】
【００７９】
１０１…インプットディスプレイ部（インプットディスプレイ）
１０２…表示制御部（表示制御手段）
１０３…画像入力制御部（画像入力制御手段）
１０４…キーボード部（入力手段）
１０５…指示入力部（入力手段）
１０６…スキャナ制御部（制御手段）
１０７…フレームバッファ
１０８…ＰＣインターフェース
１０９…ＰＣ
５０１…インプットディスプレイ部（インプットディスプレイ）
５０２…表示制御部（表示制御手段）
５０３…画像入力制御部（画像入力制御手段）
５０４…タッチパネル部（入力手段、タッチパネル）
５０５…指示入力部（入力手段）
５０６…スキャナ制御部（制御手段）
５０７…フレームバッファ
５０８…ＰＣインターフェース
５０９…ＰＣ
５１０…スタイラスペン
代理人    弁理士      伊    藤      進
【図１】
2006179977.tif 000003
【図２】
2006179977.tif 000004
【図３】
2006179977.tif 000005
【図４】
2006179977.tif 000006
【図５】
2006179977.tif 000007
【図６】
2006179977.tif 000008
【図７】
2006179977.tif 000009
【図８】
2006179977.tif 000010
【図９】
2006179977.tif 000011